(57)【特許請求の範囲】
【請求項１】
圧力コントロール装置と、恒温室内に配置された湿度調節チャンバー、流量調節装置、及びリモート測定用セルと、ガスバリア水蒸気透過試験機と、それらをつなぐ配管とからなる水蒸気透過測定システムであって、
前記圧力コントロール装置はプレッシャーバルブにより設定した圧力に供給ガスを変換し調節することができ、圧力を一定に保ちつつ供給ガスを湿度調節チャンバーに供給することができ、
前記湿度調節チャンバーは、純水とその加圧された試験用ガスを一緒にし、試験用ガスの相対湿度を１００％RH平衡にするための密閉容器からなり、
前記流量調節装置は、前記湿度調節チャンバー内で加圧された１００％RH試験用ガスを同じ温度下のもと大気圧に減圧し、リモート測定用セルの調湿側内へ供給されることにより、リモート測定用セルの調湿側内の試験用ガス相対湿度を１００％RHから適宜所望の湿度に減少させることができ、
前記のリモート測定用セルは、上記と同じ温度下で試験用サンプルフィルムをセットすることにより調湿側とドライ側の２つの閉鎖セルに分割され、一方の調湿側セル内には上記所定圧所定湿度の供給ガスが供給され、他方のドライ側セル内に供給されるドライガスの排出口から排出されるガス及び前記試験用サンプルフィルムを透過した水蒸気を前記ガスバリア水蒸気透過試験機に供給して試験用サンプルフィルムの水蒸気ガスバリア性能を測定することを特徴とする水蒸気透過測定システム。
【請求項２】
前記圧力コントロール装置から供給される供給ガスが窒素ガスであり、その圧力を１７Ｋｐａとし、前記湿度調節チャンバーの密閉容器は、円筒容器に純水を貯めたガス出入口付き密閉水槽からなり、前記流量調節装置は、加圧された高圧ガスを大気圧まで減圧開放し、前記湿度調節チャンバー内の１００％RH１７Kpaに加圧されたガスを大気圧状態でリモート測定用セルへ開放することにより、相対湿度８５％RHの試験用窒素ガスを前記のリモート測定用セルの調湿側セル内へ安定供給することができ、また前記流量調節装置は、加圧による高流量な不安定流量の試験用窒素ガスをその内部に備える流量調節弁で絞り、２０cc〜１００cc/minの低流量で一定流量に変換調節することができ、前記リモート測定用セルは、凹状のステンレス又はアルミ製の同サイズ容器を二つ上下に圧着し組み合わせることで、試験用サンプルフィルムを挟み込むことにより密着固定することができ、凹状容器により圧着セッティングされた試験用サンプルフィルムの片側の凹状部分であるドライ側セル内に、０％RHの試験用キャリアガスを供給し、もう片側の凹状部分である調湿側セル内に上記により供給された８５％RHの試験用窒素ガスを供給し、８５％RHの調湿側セルからドライ側セルにサンプルフィルムを透過した水蒸気をガスバリア水蒸気試験機に送ることができ、前記恒温室は同一温度として８５℃の一定高温度を保つことができることを特徴とする請求項１記載の水蒸気透過測定システム。
【発明の詳細な説明】
【技術分野】
【０００１】
本発明は、ガスバリア水蒸気透過測定装置における試験条件及び仕様範囲を拡大するため、同一温度内に湿度調節チャンバーシステムと流量調節装置とリモート測定用セルを接続設置し、圧力比による相対湿度減少の原理を利用して、８５℃８５％RHといった高温高湿度条件下でのガスバリア測定ができるようにしたものである。
【背景技術】
【０００２】
従来は、ガスバリア水蒸気透過測定装置における試験条件及び仕様の範囲は、温度設定上限４０℃であり設定温度８５℃における設定湿度１００％RH以外での試験条件でサンプル測定可能なモコン社水蒸気透過率測定装置システムはなかった。
【発明の概要】
【発明が解決しようとする課題】
【０００３】
ガスバリア水蒸気透過測定装置において、試験条件が温度設定４０℃以上でのガスバリア試験になると湿度条件は、サンプルフィルム調湿側に純水を含ませたスポンジを置き、リモートセルを恒温槽内にセットすることでの１００％RH のみ設定となり、それ以外のさまざまな湿度設定ができないという難点があった。本発明は、この課題を解消するためになされたものである。
【課題を解決するための手段】
【０００４】
本発明の第１のものは、圧力コントロール装置と、恒温室内に配置された湿度調節チャンバー、流量調節装置、及びリモート測定用セルと、ガスバリア水蒸気透過試験機と、それらをつなぐ配管とからなる水蒸気透過測定システムであって、前記圧力コントロール装置はプレッシャーバルブにより設定した圧力に供給ガスを変換し調節することができ、圧力を一定に保ちつつ供給ガスを湿度調節チャンバーに供給することができ、前記湿度調節チャンバーは、純水とその加圧された試験用ガスを一緒にし、試験用ガスの相対湿度を１００％RH平衡にするための密閉容器からなり、前記流量調節装置は、前記湿度調節チャンバー内で加圧された１００％RH試験用ガスを同じ温度下のもと大気圧に減圧し、リモート測定用セルの調湿側内へ供給されることにより、リモート測定用セルの調湿側内の試験用ガス相対湿度を１００％RHから適宜所望の湿度に減少させることができ、前記のリモート測定用セルは、上記と同じ温度下で試験用サンプルフィルムをセットすることにより調湿側とドライ側の２つの閉鎖セルに分割され、一方の調湿側セル内には上記所定圧所定湿度の供給ガスが供給され、他方のドライ側セル内に供給されるドライガスの排出口から排出されるガス及び前記試験用サンプルフィルムを透過した水蒸気を前記ガスバリア水蒸気透過試験機に供給して試験用サンプルフィルムの水蒸気ガスバリア性能を測定することを特徴とする水蒸気透過測定システムである。
【０００５】
本発明の第２のものは、上記第１の発明において、前記圧力コントロール装置から供給される供給ガスが窒素ガスであり、その圧力を１７Ｋｐａとし、前記湿度調節チャンバーの密閉容器は、円筒容器に純水を貯めたガス出入口付き密閉水槽からなり、前記流量調節装置は、加圧された高圧ガスを大気圧まで減圧開放し、前記湿度調節チャンバー内の１００％RH１７Kpaに加圧されたガスを大気圧状態でリモート測定用セルへ開放することにより、相対湿度８５％RHの試験用窒素ガスを前記のリモート測定用セルの調湿側セル内へ安定供給することができ、また前記流量調節装置は、加圧による高流量な不安定流量の試験用窒素ガスをその内部に備える流量調節弁で絞り、２０cc〜１００cc/minの低流量で一定流量に変換調節することができ、前記リモート測定用セルは、凹状のステンレス又はアルミ製の同サイズ容器を二つ上下に圧着し組み合わせることで、試験用サンプルフィルムを挟み込むことにより密着固定することができ、凹状容器により圧着セッティングされた試験用サンプルフィルムの片側の凹状部分であるドライ側セル内に、０％RHの試験用キャリアガスを供給し、もう片側の凹状部分である調湿側セル内に上記により供給された８５％RHの試験用窒素ガスを供給し、８５％RHの調湿側セルからドライ側セルにサンプルフィルムを透過した水蒸気をガスバリア水蒸気試験機に送ることができ、前記恒温室は同一温度として８５℃の一定高温度を保つことができることを特徴とする水蒸気透過測定システムである。
【発明の効果】
【０００６】
同一温度内で水槽式湿度調節チャンバーと減圧用流量調節装置を用いることで高温下で測定用セル調湿側湿度条件を１００％RH以外の湿度設定値をセットできる。よって、ガスバリア水蒸気透過測定装置における試験条件及び仕様の範囲拡大が可能になり、さまざまな試験における温度設定と湿度設定の組み合わせが可能になり、ガスバリア水蒸気透過測定試験装置における水蒸気透過試験機１０の需要も増える。
【図面の簡単な説明】
【０００７】
【図１】本発明の全体での使用状態を示す正面図である。
【図２】本発明の湿度調節チャンバー２と流量調節装置３の相関を示す正面図である。
【図３】本発明のリモート測定用セル４の使用状態を示す拡大図である。
【発明を実施するための形態】
【０００８】
本発明は、圧力コントロール装置、湿度調節チャンバー、流量調節装置、リモート測定用セル、恒温槽、それらをつなぐ配管とからなる高温高湿度条件での試験装置システムであって、前記の圧力コントロール装置は、高精密プレッシャーバルブにより設定した圧力に変換し調節するもので、供給ガス圧力を一定に保ちつつ湿度調節チャンバーにその圧力が安定した試験用ガスを供給するものとなる。前記の湿度調節チャンバーは、純水とその加圧された試験用ガスを一緒にし、試験用ガスの相対湿度を１００％RH平衡にするための密閉容器で、その加圧された１００％RH試験用ガスを同じ温度下にある流量調節装置減圧用試験器とで構成され、チャンバー内で加圧されたガスが同一温度にある流量調節器で大気圧に減圧され、リモート測定用セル調湿側へ開放されるとリモート測定用セル調湿側内の試験用ガス相対湿度は、１００％ＲＨから幾分か減少され、その減少する相対湿度は、その圧力差の比率により調整でき圧力差が大きくなるほどその試験用ガスの相対湿度は上がるという原理を利用し、試験用ガスの調湿側湿度を一定に調整し、安定供給するためのものとなる。前記の流量調節装置は、安定した一定の湿度を保った試験用ガス流量を一定に安定、リモートセルに供給し調節する働きもあり、上記と同じ温度下で加圧された高流量ガスを低流量ガスに変換するものとなる。前記のリモート測定用セルは、上記と同じ温度下で試験用サンプルをセットし試験測定するためのセルであり、試験用サンプルのセッティング用器具である。上記の過程により安定した一定の温度、湿度、流量を保った試験用ガスを利用し、測定結果を試験機へ供給するためのものとなる。前記の恒温槽とは、上記のシステム装置を同一温度下でおこなうための器具となり、それらをつなぐ配管は、試験用ガスや測定結果の流れを得るために装置や器具を接続する役割と試験機の保護のためのセフティートラップを備えたものとなる。以上、この装置システムは、リモート測定用セルへ安定した一定の温度、湿度、流量の試験用ガスを純水と一次圧と二次圧の比を利用した調湿原理と同一温度下での器具、装置設置により、供給することとなることを特徴とする高温高湿度条件下での測定試験システム装置である。
【０００９】
本発明においては、前記の圧力コントロール装置による試験用窒素ガス供給値を１７Ｋｐａに変換し、前記の湿度調節チャンバーへ試験用窒素ガスを一定圧力で供給するものとなる。前記湿度調節チャンバー密閉容器は、ステンレス、アルミ、アクリル円筒容器に純水を貯めたガス出入口付き密閉水槽である。前記の流量調節計減圧用試験容器とは、加圧された高圧ガスを大気圧まで減圧開放し、飽和槽の１００％RH１７Kpa加圧されたガスが加圧されていない状態、すなわち大気圧状態のリモート測定用セルへ開放することで相対湿度８５％RHの試験用窒素ガスを前記のリモート測定用セル調湿側へ安定供給するためのものとなる。また前記の流量調節装置は、加圧による高流量な不安定流量の試験用窒素ガスを流量調節弁で絞り、２０cc〜１００cc/minの低流量で一定流量に変換調節するためのものとなる。前記のリモート測定用セルは、凹状のステンレス又はアルミ製の同サイズ容器を二つ上下に圧着し組み合わせることで、測定サンプルであるフィルムをその圧着部に挟み込むことにより密着固定する。凹状容器により圧着セッティングされたサンプルであるフィルムの片側の凹状部分に，０％RH試験キャリアガスを供給し、もう片側の凹状部分に上記により供給された，８５％RHの試験用窒素ガスを供給する。８５％RH側からドライ側にサンプルフィルムを通し透過した水分をガスバリア水蒸気透過測定用試験装置に送るのものとなる。前記の恒温槽とは、圧力コントロール装置、湿度調節チャンバー、流量調節装置やリモート測定用セル、配管の一部を同一温室内に収納でき、８５℃の一定高温度を保つことのできるものとなり、配管は、試験用窒素ガスで腐食しない材質で大気中の水分を通さないもので伝導率のよい銅管やステンレス管で各装置や器具を接続し、測定中のサンプルフィルムへのストレスでの破壊によるガスバリア透過測定用試験機検知器に多量の水分が流出するのを防止するための受水器９となりセーフティートラップを設けることを特徴とする８５℃８５％RH条件下でのフィルムガスバリア水蒸気透過率測定試験装置システムである。
【００１０】
本発明においては、前記の湿度調節チャンバーは、純水と加圧されたガスが一つのステンレス又はアルミ製の容器の密閉水槽内で一緒になると、ガスは相対湿度１００％ＲＨ平衡に達するという原理と加圧されたガスが同じ温度にある減圧用流量調節装置で測定用セル内相当に値する大気圧相当に減圧されると測定用セル４相対温度は１００％ＲＨから減少し、減少する相対湿度は一次圧と二次圧の比となるという原理を利用し、８５℃８５％RHといった高温高湿度条件下、設定温度40℃以上でサンプルフィルム調湿側１００％ＲH以外での設定湿度におけるガスバリア水蒸気透過測定ができるようにした。大気圧相当のリモート測定用セル内へ流量調節装置を通じ開放減圧された試験用ガスの減少する相対湿度は、一次圧と二次圧の比となる。相対湿度を求める式は大気圧÷（大気圧＋加圧された圧力）である。その調湿された試験ガスを同一温度内にあるリモート測定用セルのサンプルフィルム調湿側へ供給することを特徴とするガスバリア水蒸気透過率測定装置用８５℃８５％RH測定セルシステム装置である。
【００１１】
圧力コントロール装置１のプレッシャーバルブ７でガスボンベから供給した試験用ガスを設定湿度に対する一定圧力値に調整して、純水を貯めた湿度調節チャンバー２へ接続配管６を通じて送る。湿度調節チャンバー２から送られた加圧された１００％RHガスは、同温度にある減圧用流量調節装置３の減圧弁８で開放減圧され設定湿度へと変換される。設定湿度へ変換された試験用ガスは、さらに流量調節装置３で低流量へ一定量に調節されてリモート測定用セル４のサンプルフィルム調湿側に安定供給される。サンプルフィルムの調湿側１１からドライ側１２へ透過した水蒸気は、リモート測定用セル４ドライ側ガス出口からセフティートラップ受水器９の設置してある接続配管６を通じて、水蒸気透過試験機１０へ送られる。これらの装置や器具は、すべて同一温度内で処理されなければならないため、恒温室内５で常に一定の温度に保たれている。この一連の動作により、サンプルであるフィルムの水蒸気透過率を高温湿度条件で測定するシステムである。
【００１２】
圧力コントロール装置１、湿度調節チャンバー２、流量調節装置３、リモート測定用セル４を恒温室内５で接続配管６により接続装着し、そこに純水と加圧されたガスが一つの湿度調節チャンバー２で一緒になると、ガスは、相対湿度１００％RH平衡に達するという原理と加圧されたガスが同じ温度にある減圧用流量調節装置３に大気圧相当に減圧されると測定用セル４相対湿度は減少し、減少する相対湿度は一次圧と二次圧の比となるという原理を利用し、８５℃８５％RHといった高温高湿度条件下で、サンプルフィルム調湿側１００％％RH以外での設定湿度におけるガスバリア水蒸気透過測定ができるようにした。
【符号の説明】
【００１３】
１  圧力コントロール装置
２  湿度調節チャンバー
３  流量調節装置
４  リモート測定用セル
５  恒温室内
６  接続配管
７  調圧用高精密プレッシャーバルブ
８  圧力開放減圧弁
９  セフティートラップ受水器
１０  ガスバリア水蒸気透過試験機
１１  フィルム  セル  調湿側
１２  フィルム  セル  ドライ側
【図１】
0005134117.tif 000002
【図２】
0005134117.tif 000003
【図３】
0005134117.tif 000004